(57)【要約】【課題】従来、地震時にタンスや食器棚等の家具が転倒するなどして非常に危険であった。それを解決する為の手段として長さの調整ができる家具と天井の間につっぱり棒等と称する家具転倒防止器具装置によって家具と天井の間を押し合い家具が転倒しないようにしたり、家具と鴨居等をチェーンなどで縛ったりするもの等で家具等が転倒しないようにしていた。しかしこれらの方法では一部の部分に強大な力が加わるため、強度の弱い天井や部分的に弱い箇所がある場合には天井や家具等が破壊し家具等が転倒したりして、つっぱり棒の原理のものなどに関しては設置場所が悪ければそのもの自体が転倒してしまい効果がなかなかなかった。【解決手段】ジャッキを２基以上並列にあるいは縦列に一定間隔に設置をする。その２基以上のジャッキを高さの調整できる箱や蛇腹構造を利用したもので覆い囲みその中心空間部を収納スペースにした収納スペース付き家具転倒防止器具装置を提供する。【選択図】図１2005144109.tif 000003
2005144109.tif 000002
【特許請求の範囲】
【請求項１】
２基以上のジャッキを並列及び縦列に適当間隔に設置して、その２基以上のジャッキを連結一体構造にしてあり、その連結一体式構造にされたジャッキ外周部のあるいは左右あるいは前後の一方の回転部を回転さすことで、設置されている各ジャッキが同時に上下に上げ下げ出来る一体式連結構造のジャッキシステム。
【請求項２】
上下の動きに対応して収納スペースの高さ調整できる蛇腹構造を利用した収納箱。
【請求項３】
上下の動きに対応して収納スペースの高さ調整できる上側の箱が下側の箱に覆い被さるようにした収納箱。
【請求項４】
２期以上のジャッキ等の一体式連結構造を利用したタンス等の上に設置して天井とタンス等の間の空間を面構造で埋めてタンス等の転倒防止をする為の転倒防止装置およびジャッキ間スペースを利用した収納スペース。
【請求項５】
ジャッキの下に独楽等の車輪を取り付けて冷蔵庫や重い家具等の下に設置し、ジャッキの上下運動で独楽等の車輪を出し入れして必要な時に冷蔵庫や重い家具等を移動させることができる装置。
【請求項６】
このジャッキシステムを利用した各収納スペースの高さを調整できる本棚等や各収納棚など。
【請求項７】
トイレ等の狭小部屋に壁面と壁面との間の間隔が狭い所には、このジャッキシステムを横に倒した原理で利用して面と面で押し合いずれ落ちないようにした収納棚など。
【発明の詳細な説明】
【技術分野】
【０００１】  この発明は、主としてタンス・食器戸棚・家具等の上に置き天井と家具等を押し合い連結固定して、地震の際に家具等が転倒することを防止する中心内部に収納スペースを設けた家具転倒防止器具装置である。
【背景技術】
【０００２】従来、つっぱり棒等と称する家具転倒防止器具装置として、例えば支柱の両端に台座なる受け具を取付け支柱を延ばして下端のボルトの調節ネジで家具と天井を固定するもの、又家具と鴨居等をチェーン等で縛ったりする物などが使用されているが、いずれもその物だけを個別に使用しており、収納スペースである収納箱等と家具転倒防止器具装置を一体として構成し形成された本発明の家具転倒防止器具装置はなかった。
【発明の開示】
【発明が解決しようとする課題】
【０００３】  しかしながら上記従来の図９のような家具転倒防止器具装置等は、支柱を支える器具の台座が小さいので天上と家具に接する面積が極めて小さいため地震の際にはその部分に強大な荷重が掛かり、吊り天井等の強度の弱い天井や部分的に弱い箇所がある場合等には天井などが破壊し家具等が転倒する危険性が多分にあった。又、家具転倒防止装置自体の設置場所が悪ければ家具転倒防止器具装置自体が転倒してしまい家具等の転倒防止に役にたたない事があった。
【課題を解決する為の手段】
【０００４】  以上の課題を解決する為に、本発明は種々の問題点に鑑みて成された装置である。地震時に建物がゆれ家具等が転倒する事を防止する器具は、２基以上のジャッキを並列にあるいは縦列に適当間隔に連結構造にして主にジャッキの上下２方を板等を取付け面構造にした。そのジャッキの上下運動にて家具等と天井の間の空間を埋めて、地震時における家具転倒防止を図り、さらにジャッキ間の空間を利用して収納スペースを設けることとした。
【発明の効果】
【０００５】  以上の手段によって家具等と天井の間の空間は面と面で連結固定されることとなり、地震時における家具転倒防止器具装置の効果がさらに高まることとなる。さらには、家具等と天井の間の空間スペースが収納スペース等に有効活用されるために今まで家具等の上に置かれていた小さなダンボール箱等や衣装ケース等であれば収納され、また見た目にも整理整頓される。なお収納棚付家具転倒防止器具装置自体の外観は板等や蛇腹構造等の面構造等で覆われるためジャッキ等の器具は見た目には見えず室内の美観を損なうことなくアンティーク調やモダン調などお洒落な外観で今まで活用されなかった天井と家具等の上部の間の空間が見た目にもお洒落な空間に変わることとなる。
【発明を実施する為の最良の形態】
【０００６】  この発明の一実施形態を、図１から図８に示す。
【０００７】  以下、掌握部７を握り、回転盤８を回転させたところから動力の伝わり方を例に説明する。
まず掌握部７を握り回転盤８を回転さすと回転盤８と歯車５１は軸支５０により連結固定されており歯車５１は連動回転する。また掌握部７は折りたたみ式になっており通常は横や前にハミ出てはいない。この回転盤８は、図８のようなラジェット等の螺子回し機の原理を利用した構造にしても良い。またこの図では回転盤８は開口部に向かって側面についているが、開口部側前面に取り付ける構造としても良い。
【０００８】  歯車５１は歯車５２と歯がかみ合っており、歯車５１が回転すると歯車５２も連動して連動回転する。
【０００９】  歯車５２は回転軸棒２３と一体式構造であり、歯車５２が回転すると回転軸棒２３も連動回転する。
【００１０】  歯車５２は歯車５３と歯が噛み合っており、歯車５２が回転すると歯車５３も連動回転する。
【００１１】  歯車５３は左右連結棒２７と一体式構造であり、歯車５３が回転すると左右連結棒２７も連動回転する。これにより左右対称に動力が伝わるようになる。（以下左右対称に力が伝わり左右対称に動く。）
【００１２】  回転軸棒２３は螺刻されており、回転歯車２２と螺合しており回転軸棒２３が回転すると回転歯車２２も回転するようになる。
【００１３】  また回転軸棒２３の上部には回転軸棒受２４があり、回転軸棒受２４の内部は回転軸棒２３の螺刻と螺合するように螺刻されており、なお、回転軸棒受２４はジャッキ上面の平面支持枠２と一体式構造となっているため、これによりジャッキの上下の動きに対応するようになる。
【００１４】  回転歯車２２は回転軸棒２６と一体式構造であり、これにより回転歯車２２が回転すると回転軸棒２６が連動回転する。この回転軸棒２６はジャッキ接続ピン２９の中央部を貫通しており、この貫通中空部にも回転軸棒２６に螺刻に対応すべく螺刻されている。回転軸棒２６が回転することによってジャッキが上下に上げ下げされることになる。（以下ジャッキの構造の原理を想像して頂きたい）
【００１５】  以下収納箱について述べる。ジャッキや歯車や軸棒の動力機械の外側を囲むように外壁板受け側１や外壁板被せ側１′を設ける。これによりジャッキが上の方に伸びた時に外壁板受け側１が持ち上げられて上下の動きに対応するようになる。この外壁板受け側１または外壁板被せ側１′の部分は蛇腹構造等の上下の動きに対応できる伸縮性に富んだ外壁構造に変えても良い。
【００１６】  またジャッキ等の動力機械等の内側の内壁構造も上記Ｉ）と同様の構造とする。
【００１７】  ただ、収納物等を置いて受ける受け板６は受け板台座２８の上端部に乗っており固定されている。この受け板台座２８は受け板６の四方下部に添えられており、ジャッキ前方部の受け板台座２８については中空部の穴を設けそこで左右連結棒２７が貫通しており、これにより左右連結棒は回転可能に挿着される。
【００１８】  なお、ジャッキの上下部に平面の枠を形成するために平面支持枠２を形成して、それがジャッキ等の上部または下部の面の外周を回るようになっている。その上に板等の平面板４などを乗せて連結固定してあり、さらにその上にゴム等のクッション材で形成されたクッション板３が乗り連結固定される。このクッション板３が天井やタンス等に直接に接する面になる。このクッション板３にはジャッキを挟んでジャッキ上部のクッション板とジャッキ下部のクッション板の所々には凹凸５のようなものが形成されており、これにより収納棚付き家具転倒防止器具装置自体を２段または３段と積み重ねたりする時に上下の凹凸が合い横方向にずれないようになる。
【００１９】  タンス等の上部にて収納棚付き家具転倒防止器具装置を何段か積み重ねる場合は上記に記入したが、タンス等の上部にて収納棚付き家具転倒防止器具装置を何段も積み重ねたりしたくない場合などは、ジャッキ上部の平面支持枠２の上に立体的に箱の骨組等を形成して、それにより段階的に高さが調整できて、残りの天井との隙間を収納棚付き家具転倒防止装置自体のジャッキシステムで高さの調整ができるようになるものとする。
【００２０】  また収納棚付き家具転倒防止器具装置の前面開口部の上部に布等を使ったロールスクリーン状１００の器具等を取り付けたりしてこれにより開口部の開閉をしたり、またシャッター状のものを取付けたりして開口部の開閉をしても良い。いずれにせよジャッキ等により上下に高さが調整されるので、その高さの調整幅に対応できる開口部を覆うものであれば良い。
【００２１】  以上の構造により回転盤８を回転さすことにより、各部材を通して動力が並列方向及び縦列方向に置かれたジャッキに動力が伝わり各ジャッキが上げ下げされるようになる。なおジャッキを並列方向および縦列方向と記入してきたが、縦列方向に連結する場合は回転軸棒２６を長いものに変えて２基以上のジャッキを連結することとする。また各ジャッキを挟んだ内側の収納スペース側と各ジャッキの外側の箱がジャッキの上下の動きに対応するよう上下への伸縮機能をもっており、収納箱全体の上面と下面で天井面と家具等の上面を家具転倒防止器具装置全体で押さえつける格好となり、また各ジャッキ間のスペースは収納スペースとなり有効活用される。
【００２２】「他の実施形態」
このジャッキ構造を利用して上に何段も積み重ねた一体式構造の各収納スペースの高さを調整できる収納棚等や本棚等の家具等を作成しても良い。
【００２３】  またジャッキを縦列方向および並列方向に設置して、各ジャッキを連結構造にする。この各ジャッキの下部に車輪や独楽等を取り付け冷蔵庫等や重い家具等の下に設置して、冷蔵庫や重い家具等を動かしたい時には車輪や独楽等を下部に出して冷蔵庫等や重い家具等を動かせる装置にしても良い。これなども冷蔵庫等や重い家具等に取り付け一体式構造にしても良い。
【図面の簡単な説明】
【００２４】
【図１】この考案の、一実施形態を示す正面右側から見た構造図である。
【図２】この考案の、一実施形態を示す前側から見た構造図である。
【図３】この考案の、一実施形態を示す後ろ側からみた構造図である。
【図４】この考案の、一実施形態を示す箱が板構造の場合の斜影図である。
【図５】この考案の、一実施形態を示す箱が板構造の場合の箱上部を高くした場合の斜影図である。
【図６】この考案の、一実施形態を示す箱が蛇腹構造等の場合の斜影図である。
【図７】この考案の、一実施形態を示す掌握部および回転盤部を螺子回し機の原理を利用した場合の斜影図である。
【図８】この考案の、一実施形態を示すジャッキシステム下部に車輪等を取り付けた場合の斜影図である。
【図９】従来ある、通称つっぱり棒と称する家具転倒防止器具装置である。
【図１０】従来ある、通称ラジェットと称する螺子回し工具である。
【符号の説明】
１、外壁板受け側      １′、外壁板受け側      ２、平面支持枠
３、ゴム等のクッション材      ４、平面板      ５、凹凸
６、荷物等を置ける受け板      ７、掌握部      ８、回転盤
２２、回転歯車      ２３、回転軸棒      ２４、回転軸棒受
２５、ジャッキアーム部      ２６、回転軸棒      ２７、左右連結棒
２８、受け板台座      ２９、ジャッキ接続ピン
５０、軸支      ５１、歯車（この場合は傘歯車）    ５２、歯車（この場合は傘歯車）
５３、歯車（この場合は傘歯車）
【図１】
2005144109.tif 000004
【図２】
2005144109.tif 000005
【図３】
2005144109.tif 000006
【図４】
2005144109.tif 000007
【図５】
2005144109.tif 000008
【図６】
2005144109.tif 000009
【図７】
2005144109.tif 000010
【図８】
2005144109.tif 000011
【図９】
2005144109.tif 000012
【図１０】
2005144109.tif 000013